【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
対象体に圧力を印加する第１の時間に超音波信号を前記対象体に送信し、前記対象体から反射される超音波エコー信号を受信して第１の超音波データを取得し、前記対象体に印加された前記圧力を解除する第２の時間に超音波信号を前記対象体に送信し、前記対象体から反射される超音波エコー信号を受信して第２の超音波データを取得する超音波データ取得部と、
前記第１および第２の超音波データに基づいて、圧力振幅（圧力の大きさ）情報、圧力印加周期情報および超音波プローブ傾斜情報を含む圧力情報を形成するプロセッサと
を備えることを特徴とする超音波システム。
【請求項２】
圧力振幅を感知して圧力振幅感知信号を出力する感知部
をさらに備えることを特徴とする請求項１に記載の超音波システム。
【請求項３】
前記プロセッサは、
前記圧力振幅感知信号に基づいて圧力振幅を算出する圧力振幅算出部と、
前記第１および第２の超音波データに基づいて変位を算出する変位算出部と、
前記算出された変位に基づいて圧力印加周期を算出する圧力印加周期算出部と、
前記算出された変位に基づいて超音波プローブの傾斜度を算出する超音波プローブ傾斜算出部と、
前記算出された圧力振幅に基づいて前記圧力振幅情報を形成し、前記算出された圧力印加周期に基づいて前記圧力印加周期情報を形成し、前記算出された超音波プローブの傾斜度に基づいて前記超音波プローブ傾斜情報を形成し、前記圧力振幅情報、前記圧力印加周期情報および前記超音波プローブ傾斜情報を含む前記圧力情報を形成する圧力情報形成部と
を備えることを特徴とする請求項２に記載の超音波システム。
【請求項４】
前記プロセッサは、
前記第１および第２の超音波データに基づいて変位を算出する変位算出部と、
前記算出された変位に基づいて圧力振幅を算出する圧力振幅算出部と、
前記算出された変位に基づいて圧力印加周期を算出する圧力印加周期算出部と、
前記算出された変位に基づいて超音波プローブの傾斜度を算出する超音波プローブ傾斜算出部と、
前記算出された圧力振幅に基づいて前記圧力振幅情報を形成し、前記算出された圧力印加周期に基づいて前記圧力印加周期情報を形成し、前記算出された超音波プローブの傾斜度に基づいて前記超音波プローブ傾斜情報を形成し、前記圧力振幅情報、前記圧力印加周期情報および前記超音波プローブ傾斜情報を含む前記圧力情報を形成する圧力情報形成部と
を備えることを特徴とする請求項１に記載の超音波システム。
【請求項５】
前記圧力情報は、図形、数値、テキストおよび色のうち少なくとも１つを含むことを特徴とする請求項１ないし４のいずれかに記載の超音波システム。
【請求項６】
ａ）対象体に圧力を印加する第１の時間に超音波信号を前記対象体に送信して前記対象体から反射される超音波エコー信号を受信して第１の超音波データを取得する段階と、
ｂ）前記対象体に印加された前記圧力を解除する第２の時間に超音波信号を前記対象体に送信し、前記対象体から反射される超音波エコー信号を受信して第２の超音波データを取得する段階と、
ｃ）前記第１および第２の超音波データを用いて圧力振幅情報、圧力印加周期情報および超音波プローブ傾斜情報を含む圧力情報を形成する段階と
を備えることを特徴とする圧力情報提供方法。
【請求項７】
圧力振幅を感知して圧力振幅信号を形成する段階をさらに備えることを特徴とする請求項６に記載の圧力情報提供方法。
【請求項８】
前記の段階ｃ）は、
前記圧力振幅感知信号に基づいて圧力振幅を算出する段階と、
前記第１および第２の超音波データに基づいて変位を算出する段階と、
前記算出された変位に基づいて圧力印加周期を算出する段階と、
前記算出された変位に基づいて超音波プローブ傾斜を算出する段階と、
前記算出された圧力振幅に基づいて前記圧力振幅情報を形成する段階と、
前記算出された圧力印加周期に基づいて前記圧力印加周期情報を形成する段階と、
前記算出された超音波プローブ傾斜に基づいて前記超音波プローブ傾斜情報を形成する段階と、
前記圧力振幅情報、前記圧力印加周期情報および前記超音波プローブ傾斜情報を含む前記圧力情報を形成する段階と
を備えることを特徴とする請求項７に記載の圧力情報提供方法。
【請求項９】
前記段階ｃ）は、
前記第１および第２の超音波データに基づいて変位を算出する段階と、
前記算出された変位に基づいて圧力振幅を算出する段階と、
前記算出された変位に基づいて圧力印加周期を算出する段階と、
前記算出された変位に基づいて超音波プローブ傾斜を算出する段階と、
前記算出された圧力振幅に基づいて前記圧力振幅情報を形成する段階と、
前記算出された圧力印加周期に基づいて前記圧力印加周期情報を形成する段階と、
前記算出された超音波プローブの傾斜に基づいて前記超音波プローブ傾斜情報を形成する段階と、
前記圧力振幅情報、前記圧力印加周期情報および前記超音波プローブ傾斜情報を含む前記圧力情報を形成する段階と
を備えることを特徴とする請求項６に記載の圧力情報提供方法。
【請求項１０】
前記圧力情報は、図形、数値、テキストおよび色のうち少なくとも１つを含むことを特徴とする請求項６ないし９のいずれかに記載の圧力情報提供方法。
【請求項１１】
圧力情報を提供する方法を行うためのプログラムを格納するコンピュータ読み出し可能記録媒体であって、前記方法は、
ａ）対象体に圧力を印加する第１の時間に超音波信号を前記対象体に送信して前記対象体から反射される超音波エコー信号を受信して第１の超音波データを取得する段階と、
ｂ）前記対象体に印加された前記圧力を解除する第２の時間に超音波信号を前記対象体に送信し、前記対象体から反射される超音波エコー信号を受信して第２の超音波データを取得する段階と、
ｃ）前記第１および第２の超音波データを用いて圧力振幅情報、圧力印加周期情報および超音波プローブ傾斜情報を含む圧力情報を形成する段階と
を備えることを特徴とするコンピュータ読み出し可能記録媒体。
【請求項１２】
前記方法は、圧力振幅を感知して圧力振幅信号を形成する段階をさらに備えることを特徴とする請求項１１に記載のコンピュータ読み出し可能記録媒体。
【請求項１３】
前記段階ｃ）は、
前記圧力振幅感知信号に基づいて圧力振幅を算出する段階と、
前記第１および第２の超音波データに基づいて変位を算出する段階と、
前記算出された変位に基づいて圧力印加周期を算出する段階と、
前記算出された変位に基づいて超音波プローブの傾斜を算出する段階と、
前記算出された圧力振幅に基づいて前記圧力振幅情報を形成する段階と、
前記算出された圧力印加周期に基づいて前記圧力印加周期情報を形成する段階と、
前記算出された超音波プローブの傾斜に基づいて前記超音波プローブ傾斜情報を形成する段階と、
前記圧力振幅情報、前記圧力印加周期情報および前記超音波プローブ傾斜情報を含む前記圧力情報を形成する段階と
を備えることを特徴とする請求項１２に記載のコンピュータ読み出し可能記録媒体。
【請求項１４】
前記段階ｃ）は、
前記第１および第２の超音波データに基づいて変位を算出する段階と、
前記算出された変位に基づいて圧力振幅を算出する段階と、
前記算出された変位に基づいて圧力印加周期を算出する段階と、
前記算出された変位に基づいて超音波プローブの傾斜度を算出する段階と、
前記算出された圧力振幅に基づいて前記圧力振幅情報を形成する段階と、
前記算出された圧力印加周期に基づいて前記圧力印加周期情報を形成する段階と、
前記算出された超音波プローブの傾斜度に基づいて前記超音波プローブ傾斜情報を形成する段階と、
前記圧力振幅情報、前記圧力印加周期情報および前記超音波プローブ傾斜情報を含む前記圧力情報を形成する段階と
を備えることを特徴とする請求項１１に記載のコンピュータ読み出し可能記録媒体。
【請求項１５】
前記圧力情報は、図形、数値、テキストおよび色のうち少なくとも１つを含むことを特徴とする請求項１１ないし１４のいずれかに記載のコンピュータ読み出し可能記録媒体。